【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
拡張現実（ＡＲ）モバイルデバイスのユーザとプロセス制御環境内の第１の現実世界オブジェクトとの間の対話を容易にする方法であって、前記方法が、
ＡＲシステムの１つ以上のプロセッサによって、かつ前記ユーザが前記プロセス制御環境を通って移動するときに、前記ＡＲモバイルデバイスのディスプレイに、前記ＡＲモバイルデバイスのカメラの視野内にある前記プロセス制御環境の部分にデジタル情報を重ね合わせさせることであって、前記重ね合わされた情報が、前記プロセス制御環境のマップ内のノードに関連付けられており、前記ノードが、前記プロセス制御環境内の他の現実世界オブジェクトに対応している、重ね合わせさせることと、
前記１つ以上のプロセッサによって、前記ＡＲモバイルデバイスの前記ディスプレイに、前記第１の現実世界オブジェクトが前記カメラの前記視野内にない間に、前記第１の現実世界オブジェクトへの方向を示させることと、
前記ＡＲモバイルデバイスを介して行われ、前記第１の現実世界オブジェクトの選択を示す、ユーザ入力を検出した後に、前記１つ以上のプロセッサによって、前記ＡＲモバイルデバイスの前記ディスプレイに、現在前記カメラの前記視野内にあるが、前記第１の現実世界オブジェクトを含まない前記プロセス制御環境の一部分上に、
前記第１の現実世界オブジェクトのデジタルモデルまたはデジタル画像と、
少なくとも（ｉ）前記第１の現実世界オブジェクトのユーザ制御を提供する１つ以上の仮想制御、ならびに／または（ｉｉ）前記第１の現実世界オブジェクトのステータス、設定、および／もしくは出力に関連付けられている情報を提示する１つ以上のディスプレイを提供するユーザインターフェースと、を重ね合わせさせることと、を含む、方法。
【請求項２】
前記ＡＲモバイルデバイスの前記ディスプレイに、前記第１の現実世界オブジェクトへの前記方向を示させることが、前記第１の現実世界オブジェクトの選択を示す前記ユーザ入力を検出した後に行われる、請求項１に記載の方法。
【請求項３】
前記第１の現実世界オブジェクトの選択を示す前記ユーザ入力が、前記第１の現実世界オブジェクトに対するユーザインターフェースを要求する音声コマンドを含む、請求項２に記載の方法。
【請求項４】
前記ＡＲモバイルデバイスの前記ディスプレイに、前記第１の現実世界オブジェクトへの前記方向を示させることが、
前記プロセス制御環境の前記一部分上に、前記デジタルモデルまたはデジタル画像とともに、前記第１の現実世界オブジェクトの前記方向において指し示す矢印を重ね合わせさせることを含む、請求項２または請求項３に記載の方法。
【請求項５】
前記ＡＲモバイルデバイスの前記ディスプレイに、前記第１の現実世界オブジェクトへの前記方向を示させることが、前記第１の現実世界オブジェクトの選択を示す前記ユーザ入力を検出する前に行われる、請求項１から請求項４のいずれかに記載の方法。
【請求項６】
前記ＡＲモバイルデバイスの前記ディスプレイに、前記第１の現実世界オブジェクトへの前記方向を示させることが、（ｉ）前記第１の現実世界オブジェクトが、前記ＡＲモバイルデバイスの閾値距離内にあること、および（ｉｉ）前記第１の現実世界オブジェクトが、現在前記カメラの前記視野内にないこと、を検出することに応答して行われる、請求項５に記載の方法。
【請求項７】
前記ＡＲモバイルデバイスの前記ディスプレイに、前記プロセス制御環境の前記一部分上に、前記デジタルモデルまたはデジタル画像を重ね合わせさせることが、
ウェブサービスインターフェースを使用して、データベースから前記デジタルモデルまたはデジタル画像を取得することを含む、請求項１から請求項６のいずれかに記載の方法。
【請求項８】
前記ＡＲモバイルデバイスの前記ディスプレイに、前記プロセス制御環境の前記一部分上に、前記デジタルモデルまたはデジタル画像および前記ユーザインターフェースを重ね合わせさせることが、
前記デジタルモデルまたはデジタル画像のユーザ選択を検出することに応答して、前記ディスプレイに、前記プロセス制御環境の前記一部分上に、前記ユーザインターフェースを重ね合わせさせることも含む、請求項１から請求項７のいずれかに記載の方法。
【請求項９】
請求項１から請求項８のいずれかに記載の方法を実行するように構成されている、サーバ。
【請求項１０】
ユーザとプロセス制御環境内の第１の現実世界オブジェクトとの間の対話を容易にするための拡張現実（ＡＲ）モバイルデバイスであって、前記ＡＲモバイルデバイスが、カメラおよびディスプレイを含み、前記ＡＲモバイルデバイスが、
前記ユーザが前記プロセス制御環境を通って移動するときに、かつ前記ディスプレイを介して、前記カメラの視野内にある前記プロセス制御環境の部分上にデジタル情報を重ね合わせることであって、前記重ね合わされた情報が、前記プロセス制御環境のマップ内のノードに関連付けられており、前記ノードが、前記プロセス制御環境内の他の現実世界オブジェクトに対応している、重ね合わせることと、
前記ディスプレイを介して、前記第１の現実世界オブジェクトが前記カメラの前記視野内にない間に、前記第１の現実世界オブジェクトへの方向を示すことと、
前記ＡＲモバイルデバイスを介して行われ、前記第１の現実世界オブジェクトの選択を示すユーザ入力を検出した後に、現在前記カメラの前記視野内にあるが、前記第１の現実世界オブジェクトを含まない前記プロセス制御環境の一部分上に、かつ前記ディスプレイを介して、
前記第１の現実世界オブジェクトのデジタルモデルまたはデジタル画像と、
少なくとも（ｉ）前記第１の現実世界オブジェクトのユーザ制御を提供する１つ以上の仮想制御、ならびに／または（ｉｉ）前記第１の現実世界オブジェクトのステータス、設定、および／もしくは出力に関連付けられている情報を提示する１つ以上のディスプレイを提供するユーザインターフェースと、を重ね合わせさせることと、を行うように構成されている、ＡＲモバイルデバイス。
【請求項１１】
前記ＡＲモバイルデバイスが、前記第１の現実世界オブジェクトの選択を示す前記ユーザ入力を検出した後に、前記ディスプレイを介して、前記第１の現実世界オブジェクトへの前記方向を示すように構成されている、請求項１０に記載のＡＲモバイルデバイス。
【請求項１２】
前記ＡＲモバイルデバイスが、少なくとも、
前記プロセス制御環境の前記部分上に、前記デジタルモデルまたはデジタル画像とともに、前記第１の現実世界オブジェクト内の前記方向において指し示す矢印を重ね合わせさせることによって、前記ディスプレイを介して、前記第１の現実世界オブジェクトへの前記方向を示すように構成されている、請求項１０または請求項１１に記載のＡＲモバイルデバイス。
【請求項１３】
前記ＡＲモバイルデバイスが、（ｉ）前記第１の現実世界オブジェクトが、前記ＡＲモバイルデバイスの閾値距離内にあること、および（ｉｉ）前記第１の現実世界オブジェクトが、現在前記カメラの前記視野内にないことを検出することに応答して、前記第１の現実世界オブジェクトへの前記方向を示すように構成されている、請求項１０から請求項１２のいずれかに記載のＡＲモバイルデバイス。
【請求項１４】
前記第１の現実世界オブジェクトへの前記方向を示すことが、前記第１の現実世界オブジェクトの選択を示す前記ユーザ入力を検出した後に行われる、請求項１０から請求項１３のいずれかに記載のＡＲモバイルデバイス。
【請求項１５】
前記第１の現実世界オブジェクトの選択を示す前記ユーザ入力が、前記第１の現実世界オブジェクトに対するユーザインターフェースを要求する音声コマンドを含む、請求項１４に記載のＡＲモバイルデバイス。
【請求項１６】
前記第１の現実世界オブジェクトへの前記方向を示すことが、前記第１の現実世界オブジェクトの選択を示す前記ユーザ入力を検出する前に行われる、請求項１０から請求項１３のいずれかに記載のＡＲモバイルデバイス。
【請求項１７】
前記プロセス制御環境の前記一部分上に、前記デジタルモデルまたはデジタル画像および前記ユーザインターフェースを重ね合わせさせることが、
前記デジタルモデルまたはデジタル画像のユーザ選択を検出することに応答して、前記プロセス制御環境の前記一部分上に、前記ユーザインターフェースを重ね合わせさせることも含む、請求項１０から請求項１６のいずれかに記載のＡＲモバイルデバイス。